(57)【要約】【課題】  オーディオ信号を無線でスピーカに伝送して再生する場合に占有帯域を低減させる。【解決手段】  再生装置本体１では、オーディオ信号を高周波成分と低周波成分に分離して高周波成分をスピーカ１０ａ、１０ｂにより再生して低周波成分をサブウーハー装置２に無線で送信し、サブウーハー装置では低周波成分のみを再生する。【選択図】  図１
2005094265.tif 000002
【特許請求の範囲】
【請求項１】
オーディオ再生装置本体と外部スピーカ装置とを備え、
前記オーディオ再生装置本体は、
アナログオーディオ信号のうちの第１の周波数以上の高周波成分を抽出する高周波成分抽出手段と、
前記高周波成分を再生するスピーカと、
前記アナログオーディオ信号のうち、前記第１の周波数と同一又は異なる周波数である第２の周波数より低い低周波成分を抽出する低周波成分抽出手段と、
前記第２の周波数より低い前記低周波成分を前記外部スピーカ装置にアナログ無線送信するアナログ無線送信手段とを備え、
前記外部スピーカ装置は、
前記低周波成分をアナログ無線受信するアナログ無線受信手段と、
前記低周波成分を再生するスピーカとを、
備えたオーディオ再生装置。
【請求項２】
前記第２の周波数は、１ｋＨｚ近傍であることを特徴とする請求項１に記載のオーディオ再生装置。
【発明の詳細な説明】
【技術分野】
【０００１】
本発明は、オーディオ信号を無線でスピーカに伝送して再生するオーディオ再生装置に関する。
【背景技術】
【０００２】
例えば、ステレオ２チャネル（チャンネルとも言う）やマルチチャネルのオーディオ信号を無線でスピーカに伝送して再生することにより、スピーカまでの配線を省略することができたり、また、既存のスピーカより大きなパワーのスピーカを使用することができる。この場合、再生しようとするオーディオ信号のすべての帯域をそのまま、又は、複数の帯域に分割してアナログ無線伝送する。さらに、微弱入力においても復調したオーディオ信号が途切れることなく継続して聴くことができる再生装置としては、下記の特許文献１に記載されているワイヤレス再生装置がある。
【特許文献１】特開平９−１１６９７９号公報
【発明の開示】
【発明が解決しようとする課題】
【０００３】
しかしながら、特に高品位のオーディオ信号をリアルタイム伝送する際には常時占有するアナログ無線伝送帯域が大きく、共存する他の無線機器に影響を与えるなど、実用上の大きな問題となっている。有限の無線周波帯域の中において、オーディオ信号をリアルタイムでアナログ無線伝送する再生装置と他の無線機器が共存する場合、前記再生装置が常時占有する帯域を確保した上で、残りの部分を他の機器が利用するため、前記常時占有する帯域はなるべく小さい方が好ましい。
【０００４】
本発明は以上の点に鑑みてなされたもので、有限の無線帯域の中で他の無線機器との共存を考えた場合にも問題となりにくいアナログ無線伝送を行うことができるオーディオ再生装置を提供することを目的とする。
【課題を解決するための手段】
【０００５】
本発明は上記目的を達成するために、オーディオ再生装置本体と外部スピーカ装置とを備え、
前記オーディオ再生装置本体は、
アナログオーディオ信号のうちの第１の周波数以上の高周波成分を抽出する高周波成分抽出手段と、
前記高周波成分を再生するスピーカと、
前記アナログオーディオ信号のうち、前記第１の周波数と同一又は異なる周波数である第２の周波数より低い低周波成分を抽出する低周波成分抽出手段と、
前記第２の周波数より低い前記低周波成分を前記外部スピーカ装置にアナログ無線送信するアナログ無線送信手段とを備え、
前記外部スピーカ装置は、
前記低周波成分をアナログ無線受信するアナログ無線受信手段と、
前記低周波成分を再生するスピーカとを、
備えた構成とした。
【０００６】
この構成により、低周波成分のみを伝送するので、占有帯域を低減させることができる。
【発明の効果】
【０００７】
本発明によれば、低周波成分のみを伝送するので、占有帯域を低減させることができる。
【発明を実施するための最良の形態】
【０００８】
以下、図面を参照して本発明の実施の形態について説明する。図１は本発明に係るオーディオ再生装置の一実施の形態を示すブロック図、図２は図１のオーディオ再生装置の処理を説明するためのフローチャートである。
【０００９】
図１において、このオーディオ再生装置は再生装置本体１及びサブウーハー装置２より構成されている。再生装置本体１はこの例ではノートパソコンであり、Ｌ、Ｒのチャネルをそれぞれ再生するスピーカ１０ａ及び１０ｂと、内部又は外部機器の記憶装置などから取り出したオーディオ信号のうち、ある一定周波数（第１の周波数）以上（０Ｈｚ〜２０ｋＨｚのうちの所定周波数、例えば２００Ｈｚ以上）の成分を取り出してスピーカ１０ａ及び１０ｂに出力する高周波成分抽出装置１２と、オーディオ信号のうち、前記一定周波数と同一又は異なる周波数である第２の周波数より低い周波数であって、概ね１ｋＨｚ以下、好ましくは５００Ｈｚ以下の低周波成分を取り出す低周波成分抽出装置１３と、低周波成分抽出装置１３により取り出された低周波成分のみをサブウーハー装置２にアナログ無線送信するアナログ無線送信装置１１より構成されている。サブウーハー装置２は低周波成分のみをアナログ無線受信するアナログ無線受信装置２０と、アナログ無線受信装置２０で受信した前記低周波成分を再生する低周波成分再生装置（サブウーハー・スピーカ）２１により構成される。なお再生装置本体１とサブウーハー装置２は音楽などを再生する同一の部屋内などに配置されるものとする。
【００１０】
次に、本実施の形態の動作について図２のフローチャートを併せて参照して説明する。再生装置本体１で再生を開始すると、ステップ１０１で再生装置本体１の内部又は外部機器の記憶装置などからオーディオ信号を読み出す。ステップ２０１では高周波成分抽出装置１２にオーディオ信号が入力され、スピーカ１０ａ及び１０ｂで再生する高周波成分が出力される。そしてステップ２０２ではスピーカ１０ａ及び１０ｂによって高周波成分のオーディオ信号が再生される。
【００１１】
また、ステップ３０１では低周波成分抽出装置１３にオーディオ信号が入力され、サブウーハー装置２において受信、再生する低周波成分が抽出される。続くステップ３０２ではこの低周波成分のみがアナログ無線送信装置１１によって送信される。続くステップ３０３で、この低周波成分のみがサブウーハー装置２側のアナログ無線受信装置２０によって受信され、低周波成分再生装置２１に供給される。そしてステップ３０４でサブウーハー装置２側の低周波成分再生装置２１によって低周波成分のオーディオ信号が再生される。ステップ２０２及びステップ３０４を終了すると、ステップ１０２で再生の継続の要否を判断し、要ならステップ１０１へ戻り、否なら再生を終了する。
【図面の簡単な説明】
【００１２】
【図１】本発明に係るオーディオ再生装置の一実施の形態を示すブロック図である。
【図２】図１のオーディオ再生装置の処理を説明するためのフローチャートである。
【符号の説明】
【００１３】
１  再生装置本体
２  サブウーハー装置
１０ａ、１０ｂ  スピーカ
１１  アナログ無線送信装置
１２  高周波成分抽出装置
１３  低周波成分抽出装置
２０  アナログ無線受信装置
２１  低周波成分再生装置（サブウーハー・スピーカ）
【図１】
2005094265.tif 000003
【図２】
2005094265.tif 000004